(57)【要約】      （修正有）【課題】車を覆う日よけを簡単にセットでき、車を傷つける心配なく、真夏の駐車場でも木陰に駐車したものにちかい効果を得られるものである。【解決手段】スイッチを押すことにより、車の上に取り付けた装置から日よけ部材が放出され、車のガラス面全体を覆って、太陽光を遮断するものである。【選択図】図４
2016088238.tif 000002
【特許請求の範囲】
【請求項１】
車の上に取り付けた本体から日よけ部材が出てくることにより、車のガラス面を覆い
車内温度が上昇するのを防ぐ、車の日よけ装置。
（１）
【発明の詳細な説明】
【技術分野】
【０００１】
本発明は、自動または手動で、簡単に車の日よけを展開する装置に関する。
【背景技術】
【０００２】
先行技術の日よけ装置には、人が手動で設置するものがある。（例えば、特許文献１、特許文献２参照）  また、車本体に設置するのではなく、駐車場に装置を設置するものもある。（例えば、特許文献３参照）  さらに、本発明と同じく、ほとんど人の手間を取らないものもある。（例えば、特許文献４参照）
【０００３】
以下、図２０、図２１、図２２、図２３により、先行技術について説明する。
図２０は特許文献１のものである。支柱を立て、それに車を乗せて固定するものであるが、設置が難しく、倒れて隣の車を傷つけるおそれがある。図２１は特許文献２のものである。車の上に板を置いて日よけとするものであるが、これも風の影響等で、隣の車や自分の車を傷つけるおそれがある。図２２は特許文献３のものである。駐車場に設置し、日かげをつくるものである。特許文献１、特許文献２、特許文献３は共に設置に手間がかかる。図２３の特許文献４はあまり手間がかからないが、車の車内に展開するため、車体自体は暑くなり、日よけ効果が薄い。
【先行技術文献】
【特許文献】
【０００４】
【特許文献１】特開平１０−３２９５５２公報
【特許文献２】特開２０００−９４９６８公報
【特許文献３】特開２００６−１０３６０５公報
【特許文献４】特開２００３−１０４０５４公報
【発明の概要】
【発明が解決しようとする課題】
【０００５】
以上に述べた先行技術では、日よけをセットするのに手間がかかったり、車を傷つける危険性がある。また、手間はかからずとも日よけ効果が薄い。
【０００６】
本発明は、このような先行技術で問題となっていた点を解消するものであり、スイッチを押すことで日よけが展開し、隣の車を傷つけることなく、日陰に駐車したのにちかい車内温度を保てるものである。
【課題を解決するための手段】
【０００７】
本発明は上記目的を達成するために、車の上に装置を取り付ける。
【０００８】
車から降りた後、装置側面の展開用スイッチをONにすることで、PIC1からの信号により、ふた開閉用モーターが正転し、装置のふたが開く。
【０００９】
ふたは約８０°開いた時点で、マイクロスイッチによって停止する。
【００１０】
その後、日よけ部材展開・収納用モーターによって、ビニールパイプ状の茎に色付きビニールの葉が付いた、日よけ部材が多数放出され車のガラス面を覆う。
（２）
【００１１】
それらの放出はマイクロスイッチによって停止する。
【００１２】
つぎに、収納について述べる。装置側面の収納用スイッチをONにすると、PIC2からの信号で、日よけ部材展開・収納用モーターが逆転し、車のガラス面を覆っていた日よけ部材が装置内に収納される。
【００１３】
日よけ部材展開・収納用モーターの逆転はマイクロスイッチによって停止する。
【００１４】
その後、ふた開閉用モーターが逆転し、装置のふたが閉じられる。
【００１５】
上述したように、本発明は展開用スイッチを押すことで、自動的に日よけが展開し、収納用スイッチを押すことで、自動的に日よけが収納され、夏の暑い陽射しから車内を守り、車内温度を快適に保つことができる。
【図面の簡単な説明】
【００１６】
【図１】本発明の取り付け場所を示した図
【図２】同発明のふたが開いた図
【図３】同発明が日よけ部材を展開し始めた図
【図４】同発明が日よけ部材を展開し終えた図
【図５】同発明の外観図
【図６】同発明の上部カバーの図
【図７】内部４層構造の展開図
【図８】１層目の内部構造図
【図９】図８、４９の拡大図
【図１０】２層目の内部構造図
【図１１】３層目の内部構造図
【図１２】図８、６の拡大図
【図１３】図８、１０付近の拡大図
【図１４】図８、１０の拡大図
【図１５】回路図
【図１６】展開時の流れ図
【図１７】収納時の流れ図
【図１８】展開時のプログラム
【図１９】収納時のプログラム
【図２０】特許文献１の図
【図２１】特許文献２の図
【図２２】特許文献３の図
【図２３】特許文献４の図
【発明を実施するための形態】
【００１７】
以下、本発明の形態を図１〜図１９に基づいて説明する。
【００１８】
図１は、車のどの部分に装置を取り付けるのかを示した図である。装置は車の上にキャリーに乗せて設置する。
【００１９】
図２は、装置のふたが開いた図である。
（３）
【００２０】
図３は、装置から日よけ部材が展開し始めた図である。
【００２１】
図４は、日よけ部材が展開し終えた図である。
【００２２】
図７は、全体図である図５の上部カバー（図６）をはずした、内部４層構造の展開図である。
【００２３】
図７のモーター電源用トグルスイッチ４０とPIC電源用トグルスイッチ４１をONにし、日よけ部材展開用押しボタンスイッチ４２を押すと、図１５のPIC1からの信号により、図７のモーター２８、２４、２６、２２が正転し、装置のふた４４、４５、４６、４７が開く。
【００２４】
ふたが約８０°開いた時点で、マイクロスイッチ２９、２５、２７、２３によってモーター２８、２４、２６、２２が停止する。
【００２５】
つづいて、図１５のPIC1からの信号で図７のモーター３０、３１、３２、３３が正転し、１層目（１番下の層）から車の前後へ、２層目（下から２番目の層）から右方向へ、３層目から左方向へ日よけ部材がそれぞれ押し出される。
【００２６】
図８は１層目の簡単な内部構造図であり、１１と４８のバーが４層目のモーターからつながっているタコ糸で前後にスライドして日よけ部材を押し出す。
【００２７】
図９は、図８の４９部分の実際の図で、ビニールパイプ（試作機ではホースを採用）に色付きビニールを貼りつけた日よけ部材は、５０、５１のアルミ板で４８のバーに固定されている。
【００２８】
図７のモーター３０、３１、３２、３３の正転は、図８、１３、１４、図１０、１７、図１１、２０のマイクロスイッチによりそれぞれ停止し、日よけ部材の展開が完了する。
【００２９】
日よけ部材の先端はそれぞれタコ糸で繋いであり、それをバックミラーに引っ掛けることで、風の影響を防ぐ効果がある。
【００３０】
収納時は、図７、４３の収納ボタンを押すことにより、図１５のPIC2からの信号で、図７、３０、３１、３２、３３のモーターが逆転を開始し、日よけ部材が収納される。
【００３１】
モーター３０、３１、３２、３３の逆転は、図８、７、１５、図１０、１６、図１１、２１のマイクロスイッチによりそれぞれ停止する。
【００３２】
つづいて、図１５のPIC2からの信号で、図７、２２、２４、２６、２８のモーターが逆転を開始し、装置のふたが閉じられる。
【００３３】
モーター２２、２４、２６、２８の逆転は、図７、３９、３８、３７、３６のマイクロスイッチによりそれぞれ停止し、日よけ部材の収納が完了する。
【００３４】
以上のように、この装置はボタン操作でモーターによって、自動で日よけ部材が展開、収納されるが、モーターの回転の代わりに、人力で巻き取り装置を回転させるようにすれば、かかる費用を大幅に軽減することができる。
【図１】
2016088238.tif 000003
【図２】
2016088238.tif 000004
【図３】
2016088238.tif 000005
【図４】
2016088238.tif 000006
【図５】
2016088238.tif 000007
【図６】
2016088238.tif 000008
【図７】
2016088238.tif 000009
【図８】
2016088238.tif 000010
【図９】
2016088238.tif 000011
【図１０】
2016088238.tif 000012
【図１１】
2016088238.tif 000013
【図１２】
2016088238.tif 000014
【図１３】
2016088238.tif 000015
【図１４】
2016088238.tif 000016
【図１５】
2016088238.tif 000017
【図１６】
2016088238.tif 000018
【図１７】
2016088238.tif 000019
【図１８】
2016088238.tif 000020
【図１９】
2016088238.tif 000021
【図２０】
2016088238.tif 000022
【図２１】
2016088238.tif 000023
【図２２】
2016088238.tif 000024
【図２３】
2016088238.tif 000025